(57)【特許請求の範囲】
【請求項１】
種キビを収容するためのホッパーと、該ホッパー内より種キビを外部に搬出するためのコンベアーを備えたサトウキビ連続植付け機であって、コンベアーが設けられた壁面と対向するホッパーの壁面には開口部が形成され、該開口部には押し込み部が回動自在に枢設され、該押し込み部は、前記開口部の開口寸法と略同一の寸法に形成された正面板と、該正面板の側辺部に連接された左右一対の側板と、該側板に連接された天板とからなり、駆動手段によりホッパー内に押し込みもしくはホッパー内より退避可能に形成されているサトウキビ連続植付け機。
【請求項２】
前記駆動手段が油圧シリンダーであり、該油圧シリンダーは、その基部がホッパーより外部へ突出する支持部材に回動自在に支持され、その先端部が前記正面板の裏面に対して回動自在に結合されていることを特徴とする請求項１に記載のサトウキビ連続植付け機。
【請求項３】
前記押し込み部の作動時における正面板の最大傾斜角度が、コンベアーの傾斜角度と同等あるいはそれ以上であることを特徴とする請求項１または２のいずれかに記載のサトウキビ連続植付け機。
【発明の詳細な説明】
【技術分野】
【０００１】
本発明は、ホッパー内における種キビを運搬するためのコンベアーの空回りを効果的に防止する押し込み部を備えたサトウキビ連続植付け機に関する。
【背景技術】
【０００２】
従来、サトウキビの種の植付けには、トラクターで索引されたホッパー内の種キビをコンベアーで搬送し、圃場溝中に落下させて連続植付けするサトウキビ植付け機が用いられている（特許文献１、２）。
【０００３】
これら従来のサトウキビ連続植付け機は、種キビを運搬するコンベアーがホッパーの床および壁面に沿って設けられており、かかるコンベアーに設けられた樋状のカップ部により種キビを掬い上げ、壁面を登坂させ、最終的にはホッパーの外部に設けられたダクト内より落下させ、種付けを行う。
【０００４】
ところが、従来のサトウキビ連続植付け機では、種キビに混在するトラッシュ（茎以外の梢頭部、稚茎、枯葉、枯死茎、生葉、土砂、雑草など）の割合が高い場合、コンベアー付近の種キビのみ運搬され、コンベアーより離れた部分に貯蔵された種キビはそのまま残ってしまうことがあった。その結果、コンベアーの前に空間が形成されてコンベアーが空回りの状態となり、残りの種キビの搬出が困難となってしまうことが避けられなかった。
【０００５】
その点、本出願人の発明者による特許文献２に開示されたサトウキビ連続植付け装置は、ホッパー中の収納種キビが残り少なくなると、底板６が上昇して傾斜することによって、底板６上の種キビをコンベアーＣ上に滑落させる構造を備えているが（段落００１８）、このものは、従来傾斜面であった壁面の一部に鉛直板５と水平の底板６で直角三角形状の可変室を形成し（図８）、その中に種キビを収納可能としてホッパーの収納容量を増大することが目的であり、底板６が水平のままだと種キビをコンベアー上に移動することができないため、元々の傾斜面に戻すための機構に過ぎない。よって、コンベアーの前に空間が形成されてコンベアーが空回りの状態となる課題を解決できるものではなかった。
【先行技術文献】
【特許文献】
【０００６】
【特許文献１】特開２０１９−１２２３２０
【特許文献２】特開２０１０−２６８７８８
【発明の概要】
【発明が解決しようとする課題】
【０００７】
そこで本発明は、従来のサトウキビ連続植付け機のかかる欠点を克服し、トラッシュの混在率が高い場合も、種キビをコンベアー側へと押し出すことによりコンベアーの空回りを防ぎ、残っている種キビを確実に搬出することができるサトウキビ連続植付け機の提供を課題とするものである。
【課題を解決するための手段】
【０００８】
本発明は、上記課題を解決するものであり、種キビを収容するためのホッパーと、該ホッパー内より種キビを外部に搬出するためのコンベアーを備えたサトウキビ連続植付け機であって、コンベアーが設けられた壁面と対向するホッパーの壁面には開口部が形成され、該開口部には押し込み部が回動自在に枢設され、該押し込み部は駆動手段によりホッパー内に押し込みもしくはホッパー内より退避可能に形成されているサトウキビ連続植付け機である。
【０００９】
また本発明は、前記押し込み部が、前記開口部の開口寸法と略同一の寸法に形成された正面板と、該正面板の側辺部に連接された左右一対の側板と、該側板に連接された天板とからなることを特徴とするサトウキビ連続植付け機である。  
【００１０】
また本発明は、前記駆動手段が油圧シリンダーであり、該油圧シリンダーは、その基部がホッパーより外部へ突出する支持部材に回動自在に支持され、その先端部が前記正面板の裏面に対して回動自在に結合されていることを特徴とするサトウキビ連続植付け機である。  
【００１１】
さらに本発明は、前記押し込み部の作動時における正面板の最大傾斜角度が、コンベアーの傾斜角度と同等あるいはそれ以上であることを特徴とするサトウキビ連続植付け機である。  
【図面の簡単な説明】
【００１２】
【図１】本発明に係るサトウキビ連続植付け機において押し込み部が非作動時の状態の部分断面図。
【図２】本発明に係るサトウキビ連続植付け機において押し込み部の押し込み動作完了時における部分断面図。
【図３】本発明に係る押し込み部の斜視図。
【発明を実施するための形態】
【００１３】
以下、本発明のサトウキビ連続植付け機の実施態様を、図面に基づいて具体的に説明する。なお、本発明はこれら実施態様に何ら制約されるものではない。
【００１４】
図１は、本発明のサトウキビ連続植付け機のホッパー４を模式的に表した部分断面図である。図に示すように、種キビを収納するホッパー４は、種キビ運搬用のコンベアー５が設けられた壁面とそれに対向する壁面４１がいずれも傾斜面に形成され、コンベアー５が設けられた壁面の外側には、コンベアー５に対応する位置にダクト部６が形成されている。また、コンベアー５には、種キビを運搬するためのカップ部５１が設けられている。
【００１５】
コンベアー５は、ホッパー４内の底面から壁面にかけて登坂するように作動し、コンベアー５の上面に設置されたカップ部５１により、種キビを上方へと運搬する。そして、コンベアー５の最上部にまで運搬された種キビは、ダクト６の開口部へと投入され、その後、ダクト内部６１を落下して圃場に植え付けされる。  
【００１６】
図３は、本発明の押し込み部１の斜視図である。図に示すように、本実施態様の押し込み部１は、矩形板状の正面板１１と、略扇形に形成された左右一対の側板１２と、側板１２の上辺部１２１の円弧に沿った曲面状に形成された背面板１３とからなる。正面板１１の側辺部１１２には側板１２の側辺部１２２が連接され、正面板１１の上辺部１１１と側板１２の上辺部１２１には、背面板１３の上辺部１３１と側辺部１３２がそれぞれ連接されている。
【００１７】
また、押し込み部１の内部には空間が形成されており、正面板１１の底辺部１１３、側板１２の底辺部１２３、天板１３の底辺部（図示せず）で区画される底面は塞がれず、開口部を形成している。
【００１８】
図１に示すように、押し込み部１は、コンベアー５が設けられた壁面側と対向するホッパー４の壁面４１に設けられている。より詳しくは、壁面４１の任意の高さに、正面板１１と同一ないしやや大きめの略同一寸法に開口された開口部４２が形成され、押し込み部１の非作動時には、図１に示すように、正面板１１が開口部４２を塞ぐ形となり、壁面４１と正面板１１が同一平面状となっている。
【００１９】
押し込み部１は、壁面４１に回動自在に枢設されている。具体的には、開閉可能なヒンジ等の枢設部１４が、正面板１１の底辺部１１３近傍と開口部４２の下縁近傍において両者を結合している。
【００２０】
押し込み部１の内部には、押し込み部１をホッパー４内に押し込み、あるいはホッパー４内より退避させるための駆動手段として、油圧シリンダー２が配設されている。油圧シリンダー２は、その基部２２においてホッパー４より外部へ突出する支持部材３に回動自在に支持され、その先端部２１が正面板１１の裏面中央に設けられた板状の取り付け部材１５に対して回動自在に連結されている。なお、先端部２１の取り付け部材１５に対する取り付け位置は任意に決めることができるが、油圧シリンダー２の押し込み力が一番効果的に伝わる位置に取り付けることが好ましい。
【００２１】
なお、本実施態様では駆動手段は油圧シリンダーを用いているが、正面板１１をホッパー４内に押し込み、また、退避させることができれば、油圧シリンダーには限定されず、他の駆動手段を用いてもよい。
【００２２】
次に、本発明の押し込み部１の動作について説明する。図１は、押し込み部１の非作動時の状態を示している。図に示すように、非作動時には、油圧シリンダー２は収縮した状態であり、正面板１１はホッパー４の壁面４１と同一平面状となっており、側板１２と天板１３はホッパー４外に露出した状態となっている。
【００２３】
図１の状態から押し込み部１を作動させるには、駆動手段の油圧シリンダー２を伸長させる。油圧シリンダー２が伸長するのに伴い、正面板１１が裏側より油圧シリンダー２によってホッパー４内に押し出され、これにより、押し込み部１は、枢設部１４を支点として回動しながらホッパー４内に押し込まれ、最終的に、図２に示すように、正面板１１はコンベアー５側へと傾斜するまで押し込まれる。正面板１１の傾斜角度は任意に決定することができるが、最大傾斜時でコンベアー５の傾斜角度と同等かそれ以上、すなわち、コンベアー５側にさらに倒れ込む角度であることが好ましい。
【００２４】
図２の押し込み動作が完了した状態では、押し込み部１の正面板１１、側板１２および天板１３の全てがホッパー４内に挿入された状態となっている。図２の状態から押し込み部１を退避させて図１の状態へ復帰させるためには、油圧シリンダー２を引き込めば良い。なお、図１から図２への油圧シリンダー２の伸長動作中あるいは図２から図１への引き込み動作中に、油圧シリンダー２を一旦停止し、正面板１１を任意の角度に傾斜させた状態で維持することもできる。
【００２５】
以上の通り、コンベアー５の前に空間が形成されてコンベアー５が空回りしている状態でも、ホッパー４内に押し込み部１を押し込む方向に作動させることにより種キビがコンベアー５へと押し出されることになるため、残っている種キビはコンベアー５により確実に搬出するこができる。
【００２６】
また、駆動手段の油圧シリンダー２により押し込み部１の正面板１１を任意の角度に傾斜させることができ、これにより、コンベアー５側に押し出される種キビの量を調整することができる。
【００２７】
また、本発明の押し込み部１は、壁面４１と同一平面状の正面板１１が枢設部１４を支点に回動するため、単に正面板１１を水平方向に押し込むのとは異なり、種キビが上方などに逃げることがなく、確実に壁面のコンベアー５側に押し出すことができる。
【００２８】
また、本発明の押し込み部１は、壁面４１に開口部４２を設けるだけでホッパー４に取り付けることが可能であるため、既存のサトウキビ連続植付け機の加工も容易である。  
【符号の説明】
【００２９】
１  …  …  押し込み部
２  …  …  油圧シリンダー
３  …  …  支持部材
４  …  …  ホッパー
５  …  …  コンベアー
６  …  …  ダクト
１１  …  …  正面板
１２  …  …  側板
１３  …  …  背面板
１４  …  …  枢設部
１５  …  …  取り付け部材
２１  …  …  先端部
２２  …  …  基部
４１  …  …  壁面
４２  …  …  開口部
５１  …  …  カップ部
６１  …  …  ダクト内部
１１１  …  …  上辺部
１１２  …  …  側辺部
１１３  …  …  底辺部
１２１  …  …  上辺部
１２２  …  …  側辺部
１２３  …  …  底辺部
１３１  …  …  上辺部
１３２  …  …  側辺部
【要約】
【課題】  トラッシュの混在率が高い場合も、種キビをコンベアー側へと押し出すことにより残っている種キビを確実に搬出するこができるサトウキビ連続植付け機の提供。
【解決手段】  種キビを収容するためのホッパーと、該ホッパー内より種キビを外部に搬出するためのコンベアーを備えたサトウキビ連続植付け機であって、コンベアーが設けられた壁面と対向するホッパーの壁面には開口部が形成され、該開口部には押し込み部が回動自在に枢設され、該押し込み部は駆動手段によりホッパー内に押し込みもしくはホッパー内より退避可能に形成されているサトウキビ連続植付け機。
【選択図】  図１【図１】
0006984935.tif 000002
【図２】
0006984935.tif 000003
【図３】
0006984935.tif 000004